(57)【要約】【課題】複数の周波数成分を含む信号を受信する状況においても、適切に周波数設定をすることができる無線伝送システム、受信装置、及び受信方法を提供すること。【解決手段】無線伝送システム１００は、加設定側無線伝送装置３と、被設定側無線伝送装置２と、を備える。加設定側無線伝送装置３は、送信信号に、当該送信信号が経由する伝送路を識別するための経路情報と、加設定側無線伝送装置３の受信周波数に関する情報と、を付加する。被設定側無線伝送装置２は、複数の送信信号を含む受信信号を分波し、複数の分波信号を生成する。被設定側無線伝送装置２は、複数の分波信号に付加された経路情報及び加設定側無線伝送装置３の受信周波数を抽出する。被設定側無線伝送装置２は、抽出した経路情報と、加設定側無線伝送装置３の受信周波数と、に基づいて、被設定側無線伝送装置２の送信周波数を設定する。【選択図】図１
2013115608.tif 000002
【特許請求の範囲】
【請求項１】
周波数の異なる複数の送信信号を送信可能な少なくとも一つの第１の無線装置と、
複数の前記送信信号に対応する複数の受信信号を受信する第２の無線装置と、を備え、
前記第１の無線装置は、前記送信信号に、当該送信信号が経由する伝送路を識別するための経路情報と、前記第１の無線装置の受信周波数に関する情報と、を付加し、
前記第２の無線装置は、
前記受信信号に付加された前記経路情報と、前記第１の無線装置の受信周波数に関する情報と、に基づいて、前記第２の無線装置の送信周波数を設定する無線伝送システム。
【請求項２】
前記第２の無線装置は、複数の前記受信信号に付加された複数の前記経路情報のうち、予め設定された所定の制御情報に対応する経路情報を特定し、特定した当該経路情報と共に前記受信信号に付加された前記第１の無線装置の受信周波数に関する情報に基づいて、前記第２の無線装置の送信周波数を設定する請求項１に記載の無線伝送システム。
【請求項３】
前記第２の無線装置は、複数の前記受信信号の周波数を検出し、
前記第２の無線装置は、複数の前記受信信号に付加された複数の前記経路情報のうち、予め設定された所定の制御情報に対応する経路情報を特定し、特定した当該経路情報が付加された前記受信信号の周波数を、前記第２の無線装置の受信周波数として設定する請求項１または２に記載の無線伝送システム。
【請求項４】
前記第１の無線装置及び前記第２の無線装置は、固定無線アクセス（ＦＷＡ）を用いて接続された固定無線装置である請求項１〜３のいずれか一項に記載の無線伝送システム。
【請求項５】
前記第１の無線装置が周波数の異なる複数の前記送信信号を同時に送信した場合、前記第２の無線装置は、複数の前記送信信号に対応する複数の前記受信信号を分波する請求項１〜４のいずれか一項に記載の無線伝送システム。
【請求項６】
前記第２の無線装置は、当該第２の無線装置の受信周波数に関する情報を、前記第１の無線装置に対して送信し、
前記第１の無線装置は、前記第２の無線装置の受信周波数に関する情報に基づいて、前記第２の無線装置の周波数設定が適切であるか否かを判定する請求項１〜５のいずれか一項に記載の無線伝送システム。
【請求項７】
前記第１の無線装置及び前記第２の無線装置には、予めＭＡＳＴＥＲ又はＳＬＡＶＥの設定がされており、
ＳＬＡＶＥ設定された前記第２の無線装置は、当該第２の無線装置の送信周波数の設定に拘らず、ＭＡＳＴＥＲ設定された前記第１の無線装置からの前記送信信号に付加された前記経路情報及び前記第１の無線装置の受信周波数に関する情報に基づいて、前記第２の無線装置の送信周波数を設定する請求項１〜６のいずれか一項に記載の無線伝送システム。
【請求項８】
前記送信信号には、当該第１の無線装置のＭＡＳＴＥＲ又はＳＬＡＶＥの設定情報がさらに含まれており、
前記第２の無線装置は、前記第１の無線装置及び前記第２の無線装置のＭＡＳＴＥＲ又はＳＬＡＶＥの設定が同一の設定である場合、報知を行う請求項７に記載の無線伝送システム。
【請求項９】
送信信号が経由する伝送路を識別するための経路情報と、前記送信信号を送信した送信装置の受信周波数に関する情報と、が付加された複数の前記送信信号に対応する複数の受信信号を受信する受信装置であって、
複数の前記受信信号を受信する受信手段と、
前記受信信号に付加された前記経路情報と、前記送信装置の受信周波数に関する情報と、に基づいて、前記受信装置の送信周波数を設定する周波数設定手段と、
を備える受信装置。
【請求項１０】
送信信号が経由する伝送路を識別するための経路情報と、前記送信信号を送信した送信装置の受信周波数に関する情報と、が付加された複数の前記送信信号に対応する複数の受信する受信装置の制御方法であって、
複数の前記受信信号を受信するステップと、
前記受信信号に付加された前記経路情報と、前記送信装置の受信周波数に関する情報と、に基づいて、前記受置信装置の送信周波数を設定するステップと、
を備える受信装置の制御方法。
【発明の詳細な説明】
【技術分野】
【０００１】
無線伝送システム、受信装置、及び受信装置の制御方法に関し、特に複数の伝送路を介して通信を行う無線伝送システム、受信装置、及び受信装置の制御方法に関する。
【背景技術】
【０００２】
近年、無線通信において、信号の送信及び受信に使用する周波数を複数の周波数から選択し、設定できる無線通信装置が知られている。例えば、特許文献１には、全二重無線通信装置の周波数設定方法が開示されている。当該周波数設定方法は、相対する２つの無線伝送装置の受信側の無線伝送装置にて検出したＲＦ（Radio Frequency）信号をもとに、受信側無線伝送装置の受信周波数及び送信周波数を設定する。
【０００３】
特許文献１には全二重無線装置の周波数設定方法が開示されている。受信機は、受信周波数をｆ１とｆ２とを間欠的に切り替える。そして、一方の周波数（例えばｆ１）を受信周波数として設定している状況で、着呼（ＲＦ信号検出）があった場合、周波数ｆ１を受信機の受信周波数として設定し、周波数ｆ２を受信機の送信周波数として設定する。一方、周波数ｆ２を受信周波数として設定している状況で、着呼があった場合、周波数ｆ２を受信機の受信周波数として設定し、周波数ｆ１を受信機の送信周波数として設定する。
【先行技術文献】
【特許文献】
【０００４】
【特許文献１】特開平５−２５２０７３号公報
【発明の概要】
【発明が解決しようとする課題】
【０００５】
しかしながら、特許文献１に記載の周波数設定方法では、受信機が単一の周波数成分を有する信号を受信する場合を想定している。そのため、受信機が、複数の周波数成分を含むＲＦ信号を受信した場合、受信機は、受信したＲＦ信号の複数の周波数成分のうち、どの周波数成分の信号を受信し、どの周波数成分の信号を送信すればよいか確定できない。つまり、受信機は、周波数設定ができないという問題があった。
【０００６】
本発明は、このような問題を解決するためになされたものであり、複数の周波数成分を含む信号を受信する状況においても、適切に周波数設定をすることができる無線伝送システム、受信装置、及び受信装置の制御方法を提供することを目的とする。
【課題を解決するための手段】
【０００７】
本発明にかかる無線伝送システムは、周波数の異なる複数の送信信号を送信可能な少なくとも一つの第１の無線装置と、複数の前記送信信号に対応する複数の受信信号を受信する第２の無線装置と、を備える。前記第１の無線装置は、前記送信信号に、当該送信信号が経由する伝送路を識別するための経路情報と、前記第１の無線装置の受信周波数に関する情報と、を付加する。前記第２の無線装置は、前記受信信号に付加された前記経路情報と、前記第１の無線装置の受信周波数に関する情報と、に基づいて、前記第２の無線装置の送信周波数を設定する。
【０００８】
本発明にかかる受信装置は、送信信号が経由する伝送路を識別するための経路情報と、前記送信信号を送信した送信装置の受信周波数に関する情報と、が付加された複数の前記送信信号に対応する複数の受信信号を受信する受信装置である。受信装置は、複数の前記受信信号を受信する受信手段と、前記受信信号に付加された前記経路情報と、前記送信装置の受信周波数に関する情報と、に基づいて、前記受信装置の送信周波数を設定する周波数設定手段と、を備える。
【０００９】
本発明にかかる受信装置の制御方法は、送信信号が経由する伝送路を識別するための経路情報と、前記送信信号を送信した送信装置の受信周波数に関する情報と、が付加された複数の前記送信信号に対応する複数の受信する受信装置の制御方法である。受信装置の制御方法は、複数の前記受信信号を受信するステップと、前記受信信号に付加された前記経路情報と、前記送信装置の受信周波数に関する情報と、に基づいて、前記受置信装置の送信周波数を設定するステップと、を備える。
【発明の効果】
【００１０】
本発明により、無線装置が複数の周波数成分を含む信号を受信する状況においても、適切に周波数設定をすることができる無線伝送システム、受信装置、及び受信装置の制御方法を提供することができる。
【図面の簡単な説明】
【００１１】
【図１】実施の形態にかかる無線伝送システムの構成例を示す図である。
【図２】実施の形態にかかる被設定側無線伝送装置のブロック図である。
【図３】実施の形態にかかる加設定無線伝送装置の送信周波数及び受信周波数が対応付けられたテーブルの一例である。
【図４】本発明にかかる被設定側無線伝送装置のブロック図である。
【図５】本実施の形態にかかる無線伝送システムの構成例を示す図である。
【発明を実施するための形態】
【００１２】
以下、図面を参照して本発明の実施の形態について説明する。始めに、本実施の形態にかかる無線伝送システム１００全体の構成について説明する。無線伝送システム１００は、被設定側無線伝送装置２−１〜２−３と、加設定側無線伝送装置３−１〜３−３と、を備える。被設定側無線伝送装置２−１〜２−３及び加設定側無線伝送装置３−１〜３−３は、例えば、ＦＷＡ（Fixed Wireless Access：固定無線アクセス）を用いた通信を行う固定無線装置であり、信号の送受信を行うアンテナ９１を備える。
【００１３】
図１に示すように、加設定側無線伝送装置３−１は、送信信号ｓ−１を送信する。同様に、加設定側無線伝送装置３−２は、送信信号ｓ−２を送信する。また、加設定側無線伝送装置３−３は、送信信号ｓ−３を送信する。送信信号ｓ−１〜ｓ−３は、それぞれ異なる周波数帯の信号である。被設定側無線伝送装置２?１は、周波数の異なる複数の送信信号ｓ−１〜ｓ−３を含む信号を受信する。なお、本実施の形態においては、被設定側無線伝送装置２?１の受信信号に３つの周波数成分が含まれる場合について説明するが、これに限られるものではない。
【００１４】
図２を参照して、被設定側無線伝送装置２の構成について説明する。図２は、被設定側無線伝送装置２のブロック図である。被設定側無線伝送装置２は、分波部２０１と、周波数検出部２０２−１〜２０２−３と、受信部２０３−１〜２０３−３と、制御部２０４と、セレクタ２０５と、設定情報付加部２０６と、送信部２０７と、を備える。
【００１５】
分波部２０１は、アンテナ９１から受信する複数の送信ＲＦ信号が含まれる（複数の周波数成分が含まれる）受信ＲＦ信号ｄを、周波数成分毎に分波する。そして、分波部２０１は、複数の分波後の受信ＲＦ信号ｅ−１〜ｅ−３（分波信号）を生成する。
【００１６】
周波数検出部２０２−１〜２０２−３は、分波部２０１において複数の周波数成分に分波された各分波後の受信ＲＦ信号ｅ−１〜ｅ−３の中心周波数の検出を行う。そして、周波数検出部２０２−１〜２０２−３は、制御部２０４に対して受信周波数情報ｆ−１〜ｆ−３を出力する。受信周波数情報とは、分波後の受信ＲＦ信号ｅ−１〜ｅ−３の周波数であり、言い換えると、受信部２０３−１〜２０３−３が受信すべき信号の周波数を特定するための情報である。
【００１７】
受信部２０３−１〜２０３−３は、制御部２０４から受信周波数設定情報ｈ−１〜ｈ−３の入力を受け、受信周波数設定情報ｈ−１〜ｈ−３に応じて受信周波数を設定する。受信周波数設定情報ｈ−１〜ｈ−３とは、制御部２０４が、受信部２０３−１〜２０３−３に対して受信すべき信号の周波数を指示するための情報である。受信部２０３−１〜２０３−３は、分波後の受信ＲＦ信号ｅ−１〜ｅ−３から加設定側設定情報ｉ−１〜ｉ−３を抽出し、制御部２０４に対して出力すると共に、受信信号ｇ−１〜ｇ−３を生成し、セレクタ２０５に出力する。
【００１８】
加設定側設定情報ｉ−１〜ｉ−３とは、加設定側無線伝送装置３の受信周波数に関する情報及び経路情報から構成される。経路情報とは、送信信号ｓ−１〜ｓ−３（即ち、分波後の受信ＲＦ信号ｅ−１〜ｅ−３）が経由した無線伝送路を識別する情報である。経路情報は、各無線伝送路を識別できる情報（無線伝送路毎にユニークな値）であればよく、例えば、「伝送路１」、「伝送路２」、「伝送路３」等の数字でもよいし、「伝送路Ａ」、「伝送路Ｂ」、「伝送路Ｃ」等のアルファベットでもよい。例えば、図１に示すように、加設定側無線伝送装置３−１〜３−３が、それぞれ単一の伝送路しか使用しない場合、加設定側無線伝送装置３−１〜３−３が決まれば、伝送路も決まる。そのため、このような状況においては、経路情報は、加設定側無線伝送装置３−１〜３−３を識別する情報であってもよい。受信信号ｇ−１〜ｇ−３とは、被設定側無線伝送装置２が実際に受信すべき実データを意味する。
【００１９】
制御部２０４（周波数設定手段）は、例えばＣＰＵ(Central Processing Unit)を有しており、プログラムに基づいて、図２に示す被設定側無線伝送装置２の各部に対して、各種の処理動作の実行を命令する。
【００２０】
制御部２０４は、受信周波数情報ｆ−１〜ｆ−３に基づいて、受信周波数設定情報ｈ−１〜ｈ−３を生成し、受信部２０３−１〜２０３−３に出力する。つまり、制御部２０４は、受信周波数設定情報ｈ−１〜ｈ−３を用いて、受信部２０３−１〜２０３−３に対して、分波後の受信ＲＦ信号ｅ−１〜ｅ−３を受信するように受信周波数を設定する。
【００２１】
また、制御部２０４は、加設定側設定情報ｉ−１〜ｉ−３に含まれる経路情報と制御部２０４に予め設定された制御情報ｒとに基づいて、受信信号ｇ−１〜ｇ−３のうち、どの信号を受信するかを判断して、選択信号ｋを生成し、セレクタ２０５に出力する。
【００２２】
さらに、制御部２０４は、受信周波数情報ｆ−１〜ｆ−３と、経路情報と、制御情報ｒと、に基づいて、被設定側無線伝送装置２の受信周波数を設定する。そして、制御部２０４は、被設定側設定情報ｍを生成し、設定情報付加部２０６に出力する。被設定側設定情報ｍとは、制御部２０４により設定された被設定側無線伝送装置２の受信周波数と、被設定側無線伝送装置２が使用する伝送路の経路情報と、を含む情報である。
【００２３】
被設定側無線伝送装置２の送信周波数及び受信周波数の設定方法について具体的に説明する。制御部２０４は、加設定側設定情報ｉ−１〜ｉ−３のそれぞれに含まれる経路情報（３つ）のうち、制御情報ｒに対応する経路情報を特定する。そして、制御部２０４は、特定した経路情報と共に加設定側設定情報ｉに付加されている加設定側無線伝送装置３の受信周波数を、テーブルから選択し、被設定側無線伝送装置２の送信周波数として設定する。
【００２４】
上記テーブルには、加設定側無線伝送装置３−１〜３−３の送信周波数（即ち、被設定側無線伝送装置２−１〜２−３の受信周波数）と、加設定側無線伝送装置３−１〜３−３の受信周波数（即ち、被設定側無線伝送装置２−１〜２−３の送信周波数）と、が対応付けられて格納されている。言い換えると、当該テーブルにおいては、各伝送路における上りの周波数と下りの周波数とが対応付けられている。当該テーブルの一例を図３に示す。図３のテーブルは、例えば、加設定側無線伝送装置３−１の送信周波数が１ＧＨｚの場合、当該加設定側無線伝送装置３−１の受信周波数は、１．２ＧＨｚであることを示している。なお、図３に示すテーブルは、被設定側無線伝送装置２−１〜２−３及び加設定側無線伝送装置３−１〜３−３の図示しないメモリに予め格納されている。
【００２５】
また、制御部２０４は、周波数検出部２０２−１〜２０２−３により検出された分波後の受信ＲＦ信号ｅ−１〜ｅ−３の周波数から受信周波数を選択する。具体的には、制御部２０４は、制御情報rに対応する経路情報を特定し、検出された複数の周波数のうち、当該経路情報が付加された分波後の受信ＲＦ信号の周波数を、被設定側無線伝送装置２の受信周波数として設定する。
【００２６】
制御部２０４は、被設定側無線伝送装置２の送信周波数を設定するための送信周波数情報ｏを生成する。制御部２０４は、生成した送信周波数情報ｏを送信部２０７に出力する。
【００２７】
また、制御部２０４は、受信周波数設定情報ｈ−１〜ｈ−３、選択信号ｋ、または送信周波数情報ｏの出力状態に基づいてＡＬＭ信号ｑを生成し、図示しない後段ブロックに出力する。
【００２８】
セレクタ２０５は、選択信号ｋに基づいて、受信信号ｇ−１〜ｇ−３のうちの一つを選択し、選択後の受信信号ｊとして出力する。設定情報付加部２０６は、送信信号ｌに対して、被設定側設定情報ｍを付加し、被設定側設定情報ｍ付加後の送信信号ｎを生成し、送信部２０７に出力する。送信部２０７は、送信周波数情報ｎに基づいて、送信ＲＦ信号ｐを生成し出力する。
【００２９】
続いて、本実施の形態にかかる無線伝送システム１００の動作例について説明する。図２の加設定側無線伝送装置３に送信周波数及び受信周波数を設定し、周波数設定がなされていない被設定側無線伝送装置２に対してＲＦ信号を送信する場合を考える。
【００３０】
被設定側無線伝送装置２は、受信ＲＦ信号ｄを受信すると、分波部２０１に入力する。分波部２０１は、複数の周波数成分を持つ受信ＲＦ信号ｄから、周波数成分の抽出を行い、周波数成分抽出後のＲＦ信号を分波後の受信ＲＦ信号ｅ−１〜ｅ−３として周波数検出部２０２−１〜２０２−３に出力する。
【００３１】
周波数検出部２０２−１〜２０２−３は周波数カウンタ機能を有し、分波後の受信ＲＦ信号ｅ−１〜ｅ−３それぞれの周波数の検出を行い、受信周波数情報ｆ−１〜ｆ−３として制御部２０４に出力する。
【００３２】
制御部２０４は、各分波後の受信ＲＦ信号ｅ−１〜ｅ−３の受信周波数情報ｆ−１〜ｆ−３に基づいて、受信周波数設定情報ｈ−１〜ｈ−３を生成し、受信部２０３−１〜２０３−３に出力する。受信部２０３−１〜２０３−３は、制御部２０４から入力される受信周波数設定情報ｈ−１〜ｈ−３に基づいて、受信周波数設定を行い、分波後の受信ＲＦ信号ｅ−１〜ｅ−３から信号（実データ）を受信する。受信部２０３−１〜２０３−３は、受信ＲＦ信号ｅ−１〜ｅ−３の図示しない無線フレームから情報（実データ）を抽出して受信信号ｇ−１〜ｇ−３を生成する。それと共に、受信部２０３−１〜２０３−３は、加設定側設定情報ｉ−１〜ｉ−３を生成し、加設定側設定情報ｉ−１〜ｉ−３を制御部２０４に通知する。
【００３３】
制御部２０４は、加設定側設定情報ｉ−１〜ｉ−３に含まれる経路情報と、制御情報ｒとの一致確認を行い、被設定側無線伝送装置２で受信すべき信号を判断する。制御部２０４は、制御情報rと一致する経路情報を含む信号を選択させる選択信号ｋを生成し、セレクタ２０５に通知する。セレクタ２０５は、選択信号ｋに基づいて、受信信号ｇ−１〜ｇ−３から信号を選択し、選択後の受信信号ｊを図示しない後段ブロックに出力する。
【００３４】
一方、制御部２０４は、被設定側設定情報ｍを設定情報付加部２０６に出力する。設定情報付加部２０６は、被設定側設定情報ｍを送信信号ｌに付加し、被設定側設定情報ｍ付加後の送信信号ｎを生成し、送信部２０７に出力する。
【００３５】
制御部２０４は、前述の加設定側設定情報ｉ−１〜ｉ−３に含まれる加設定側装置の受信周波数情報から、選択信号ｋで選択した受信周波数情報を、送信周波数情報ｏとして送信部２０７に出力する。つまり、制御部２０４は、選択信号ｋで選択した受信周波数情報を、被設定側無線伝送装置２の送信周波数として設定する。送信部２０７は、送信周波数情報ｏを用いて、被設定側設定情報ｍ付加後の送信信号ｎに基づいて無線フレームを生成し、送信ＲＦ信号ｐを加設定側無線伝送装置３に出力する。
【００３６】
制御部２０４は、受信周波数設定情報ｈ−１〜ｈ−３、選択信号ｋ、または送信周波数情報ｏが出力されていない場合、周波数設定異常を示すためＡＬＭ信号ｑを図示しない後段ブロックに出力する。制御部２０４は、受信周波数設定情報ｈ−１〜ｈ−３、選択信号ｋ、または送信周波数情報ｏがすべて出力された場合、ＡＬＭ信号ｑの出力を停止する。
【００３７】
以上、被設定側無線伝送装置２における送信周波数及び受信周波数の設定方法について説明したが、加設定側無線伝送装置３も被設定側無線伝送装置２と同様の構成をとる。図示しない加設定側無線伝送装置３の制御部は、加設定側無線伝送装置３の受信部より入力された、加設定側無線伝送装置３における図示しない被設定側設定情報に基づいて、テーブルを参照し、被設定側無線伝送装置２と加設定側無線伝送装置３との周波数設定情報が正しいかどうかを判定する。具体的には、加設定側無線伝送装置３の受信周波数と、被設定側無線伝送装置２の受信周波数（即ち、加設定側無線伝送装置３の送信周波数）と、がテーブルの対応付け通りであるか否かを確認する。
【００３８】
加設定側無線伝送装置３において設定されている送信周波数及び受信周波数に対して、被設定側無線伝送装置２の送信周波数及び受信周波数が正しく設定されていない場合、加設定側無線伝送装置３の制御部は、図示しないＡＬＭ信号を出力する。加設定側無線伝送装置３の制御部は、被設定側無線伝送装置２からの送信信号に被設定側設定情報ｍが付加されていない場合もＡＬＭ信号を出力する。
【００３９】
なお、被設定側無線伝送装置２において、送信周波数及び受信周波数から構成される設定情報がユーザによって入力されている場合は、被設定側無線伝送装置２の制御部２０４は、当該設定情報に基づく送信周波数及び受信周波数の設定を優先的に行う。このとき、受信周波数情報ｆ−１〜ｆ−３及び加設定側設定情報ｉ−１〜ｉ−３に含まれる加設定側無線伝送装置３の受信周波数情報はマスクされる。そして、受信部２０３−１〜２０３−３においては、ユーザが入力した設定情報に基づいて、単一の受信周波数が設定される。この場合、受信部２０３−１〜２０３−３のうち受信周波数が適切とならないものが生じるが、不適切な周波数の信号は、セレクタ２０５で選択信号ｋに基づきフィルタリングされるため問題は生じない。
【００４０】
以上のように、本実施の形態にかかる無線伝送システム１００によれば、被設定側無線伝送装置２は、周波数の異なる複数の受信信号を受信する。そして、制御部２０４が、受信信号に付加された経路情報と、加設定側無線伝送装置３−１〜３−３の受信周波数に関する情報と、に基づいて、被設定側無線伝送装置２の送信周波数を設定する。これにより、被設定側無線伝送装置２の受信信号に複数の周波数成分が含まれている場合であっても、所望の送信周波数の設定を適切にすることができる。
【００４１】
つまり、本発明にかかる被設定側無線伝送装置２は、図４のブロック図に示すように、少なくとも、受信手段（アンテナ９１）と、周波数設定手段（制御部２０４）と、を含んでいれば、上記した本発明の効果を発揮できる。
【００４２】
また、被設定側無線伝送装置２において、周波数検出部２０２−１〜２０２−３が、複数の分波信号ｅ−１〜ｅ−３の周波数を検出する。そして、制御部２０４は、各分波信号ｅ−１〜ｅ−３に付加されている経路情報に基づいて、複数の分波信号ｅ−１〜ｅ−３の周波数（受信周波数情報ｆ−１〜ｆ−３）から所望の周波数を選択し、受信周波数に設定する。これにより、被設定側無線伝送装置２の受信信号に複数の周波数成分が含まれている場合であっても、所望の受信周波数の設定を適切にすることができる。
【００４３】
さらに、本実施の形態にかかる無線伝送システム１００の被設定側無線伝送装置２−１〜２−３及び加設定側無線伝送装置３−１〜３−３は固定基地局等の固定無線装置を想定している。図１に示すように、各固定無線装置が高密度で設置されているような状況においては、被設定側無線伝送装置２−１〜２−３のそれぞれが、各加設定側無線伝送装置３−１〜３−３の送信信号を受信してしまう。加えて、被設定側無線伝送装置２−１〜２−３は固定無線装置であるため、所望の無線装置以外の無線装置と無線通信が行われない位置に移動することもできない。
【００４４】
このような状況において正常に無線通信を行うためには、無線通信を行わせたい固定無線装置のペア毎に、他の固定無線装置のペアとは重複しない伝送路（周波数）を設定する必要がある。しかし、各ペアにおける被設定側無線伝送装置と加設定側無線伝送装置のそれぞれに対して、他のペアが使用する伝送路と重複しないように、送信周波数及び受信周波数を設定する作業は煩雑となり負担が大きい。
【００４５】
しかしながら、本発明にかかる無線伝送システム１００によれば、各ペアに対して、当該ペアが使用する伝送路（経路情報）と、各加設定側無線伝送装置３−１〜３−３の送信周波数及び受信周波数さえ設定しておけば、各加設定側無線伝送装置３−１〜３−３の通信相手となる被設定側無線伝送装置２−１〜２−３の周波数設定は自動的に行われる。したがって、周波数設定作業の負担が軽減される。
【００４６】
（変形例）
本発明にかかる変形例について説明する。変形例にかかる無線伝送システムでは、被設定側無線伝送装置２の制御情報rと、加設定側無線伝送装置３の図示しない制御情報と、に対してＭＡＳＴＥＲ／ＳＬＡＶＥ情報が付加されている。なお、変形例にかかる無線伝送システムのその他の構成は、上述の無線伝送システムと同様であるため、説明を省略する。
【００４７】
基本的には、加設定側無線伝送装置３がＭＡＳＴＥＲ、被設定側無線伝送装置２がＳＬＡＶＥと設定される。このＭＡＳＴＥＲ／ＳＬＡＶＥ情報は、各無線伝送路個別に割り当てられ、被設定側無線伝送装置２の制御部２０４及び加設定側無線伝送装置３の図示しない制御部に設定される。また、ＭＡＳＴＥＲ／ＳＬＡＶＥ情報は、被設定側無線伝送装置２の被設定側設定情報ｍ及び加設定側無線伝送装置３の加設定側設定情報ｉに含まれ、送信信号に付加される。
【００４８】
被設定側無線伝送装置２の制御部２０４は、制御情報ｒによってＳＬＡＶＥとして設定されている状態においては、既に受信周波数および送信周波数が設定されている場合であっても、加設定側設定情報ｉにＭＡＳＴＥＲ情報が含まれている場合には、受信周波数情報ｆ−１〜ｆ−３及び加設定側設定情報ｉ−１〜ｉ−３に基づいて、周波数設定処理を実施する。
【００４９】
つまり、ＳＬＡＶＥ設定された被設定側無線伝送装置２は、受信周波数の設定に拘らず、ＭＡＳＴＥＲ設定された加設定側無線伝送装置３から送信される送信信号に基づいて、受信周波数を設定する。これにより、既に周波数設定がなされている被設定側無線伝送装置２に対しても再度周波数設定ができる。
【００５０】
ただし、同一の伝送路において、被設定側無線伝送装置２及び加設定側無線伝送装置３が、共にＭＡＳＴＥＲまたはＳＬＡＶＥと設定されている場合には、制御部２０４はＡＬＭ信号ｑを図示しない後段ブロックに出力する。さらに、制御部２０４は、制御情報ｒに基づいて送信周波数及び受信周波数の設定を実施すると共に、被設定側設定情報ｍにＡＬＭ信号を付加する。
【００５１】
加設定側無線伝送装置３の制御部は、被設定側無線伝送装置２から受信した被設定側設定情報ｍにＡＬＭ信号が含まれていることを検出すると、ＡＬＭ信号を図示しない後段ブロックに出力する。被設定側無線伝送装置２においても同様に、制御部２０４が、加設定側設定情報ｉ−１〜ｉ−３にＡＬＭ信号が含まれていることを検出すると、ＡＬＭ信号ｑを図示しない後段ブロックに出力する。これにより、ＭＡＳＴＥＲ／ＳＬＡＶＥの設定が不適切であることを報知できる。
【００５２】
なお、本発明は上記実施の形態に限られたものではなく、趣旨を逸脱しない範囲で適宜変更及び組み合わせをすることが可能である。例えば、被設定側無線伝送装置２−１〜２−３及び加設定側無線伝送装置３−１〜３−３は、固定無線装置に限られるものではなく、移動無線装置であってもよい。また、上述した実施の形態においては、１つの加設定側無線伝送装置３は、１つの伝送路を用いて送信信号を送信していたが、これに限られるものではない。上述したように、本発明は各伝送路の経路情報を用いて周波数設定処理を行っている。そのため、例えば、図５に示すように、１つの加設定側無線伝送装置３が複数の伝送路（周波数帯）を用いて１つの被設定側無線伝送装置２と通信を行う場合においても、本発明は適用可能である。このような状況においては、送信信号の送り手を識別する情報では伝送路を識別できない。そのため、経路情報には、加設定側無線伝送装置３を識別するための情報は含まれず、伝送路を識別するための情報（例えば、伝送路Ａ、伝送路Ｂ）が含まれる。
【符号の説明】
【００５３】
２  被設定側無線伝送装置
３  加設定側無線伝送装置
９１  アンテナ
１００  無線伝送システム
２０１  分波部
２０２  周波数検出部
２０３  受信部
２０４  制御部
２０５  セレクタ
２０６  設定情報付加部
２０７  送信部
【図１】
2013115608.tif 000003
【図２】
2013115608.tif 000004
【図３】
2013115608.tif 000005
【図４】
2013115608.tif 000006
【図５】
2013115608.tif 000007